(57)【特許請求の範囲】
【請求項１】
成形金型を用いて強化繊維基材を賦形するプリフォームの製造方法であって、
前記強化繊維基材の所定の位置に予め位置決め部材を配置し、前記成形金型に設けられたポジションガイドに前記位置決め部材を位置合わせする予備賦形工程と、
予備賦形された前記強化繊維基材を、前記成形金型によりプレスする賦形工程と、を少なくとも有し、
前記位置決め部材が、前記強化繊維基材の所定の位置に、磁気力で前記強化繊維基材を挟み込む一対の磁性体であり、前記ポジションガイドが、前記磁性体の入れ子が挿入できる成形金型内の所定の位置に設けられた一定の大きさの型孔であることを特徴とするプリフォームの製造方法。
【請求項２】
前記位置決め部材を所定の位置に設ける工程が、
テンプレートの所定の位置に穴を開ける工程、
前記テンプレートの穴に磁性体の入れ子を挿入する工程、
前記磁性体の入れ子が挿入された前記テンプレート上に強化繊維基材を重ねる工程、及び、
前記強化繊維基材上に磁石を載せ、前記テンプレートの磁性体の入れ子を磁気力により、
前記磁石と前記前記磁性体の入れ子とを合致させる工程、により行われる請求項１に記載のプリフォームの製造方法。
【請求項３】
成形金型を用いて強化繊維基材を賦形するプリフォームの製造方法であって、
前記強化繊維基材の所定の位置に予め位置決め部材を配置し、前記成形金型に設けられたポジションガイドに前記位置決め部材を位置合わせする予備賦形工程と、
予備賦形された前記強化繊維基材を、前記成形金型によりプレスする賦形工程と、を少なくとも有し、
前記位置決め部材が、前記強化繊維基材の所定の位置に配置させるピンがついたブロックであり、
前記ポジションガイドが、前記ブロックの入れ子が挿入できる成形金型内の所定の位置に設けられた一定の大きさの型孔であることを特徴とするプリフォームの製造方法。
【請求項４】
前記位置決め部材を所定の位置に設ける工程が、
テンプレートの所定の位置に穴を開ける工程、
前記テンプレートの穴にピンの付いたブロックの入れ子を挿入する工程、及び、
前記ブロックの入れ子が挿入された前記テンプレート上に強化繊維基材を重ね、基材にピンを貫通する工程、により行われる請求項３に記載のプリフォームの製造方法。
【請求項５】
成形金型を用いて強化繊維基材を賦形するプリフォームの製造方法であって、
前記強化繊維基材の所定の位置に予め位置決め部材を配置し、前記成形金型に設けられたポジションガイドに前記位置決め部材を位置合わせする予備賦形工程と、
予備賦形された前記強化繊維基材を、前記成形金型によりプレスする賦形工程と、を少なくとも有し、
前記位置決め部材が、前記強化繊維基材の所定の位置に付するマーカーであり、
前記ポジションガイドが、強化繊維基材を貫通でき、成形金型内の所定の位置に設けられたポジションピンであることを特徴とするプリフォームの製造方法。
【請求項６】
成形金型を用いて強化繊維基材を賦形するプリフォームの製造方法であって、
前記強化繊維基材の所定の位置に予め位置決め部材を配置し、前記成形金型に設けられたポジションガイドに前記位置決め部材を位置合わせする予備賦形工程と、
予備賦形された前記強化繊維基材を、前記成形金型によりプレスする賦形工程と、を少なくとも有し、
位置情報を認識するアームを前記位置決め部材が配置された前記強化繊維基材に接近させ、前記位置決め部材の配置位置を認識し、前記強化繊維基材を前記アームで捕捉した後、前記成形金型近傍に移動させ、前記成形金型のポジションガイドの位置情報を認識し、前記強化繊維基材の位置決め部材を前記成形金型のポジションガイドに位置合わせすることにより前記強化繊維基材を所定の形態に予備賦形することを特徴とするプリフォームの製造方法。
【請求項７】
隣接する位置決め部材間の強化繊維基材の長さが、前記隣接する位置決め部材に対応するポジションガイド間距離に対し、同等以上、１．５倍以下の長さである請求項１、３、５、６のいずれかに記載のプリフォームの製造方法。
【請求項８】
請求項１〜７いずれか記載のプリフォームの製造方法によって賦形されたプリフォームに、マトリクス樹脂を含浸し、固化又は硬化することを特徴とする繊維強化プラスチック成形品の製造方法。
【発明の詳細な説明】
【技術分野】
【０００１】
本発明は、繊維強化プラスチック（以下ＦＲＰ（Ｆｉｂｅｒ  Ｒｅｉｎｆｏｒｃｅ  Ｐｌａｓｔｉｃ）と称することがある）を成形するための強化繊維基材のプリフォームの製造方法、特にＲＴＭ(Ｒｅｓｉｎ Ｔｒａｎｓｆｅｒ Ｍｏｌｄｉｎｇ)成形方法に関し、均一な樹脂含浸成形を可能にする強化繊維基材のプリフォームの製造方法及び繊維強化プラスチックの製造方法に関する。
【背景技術】
【０００２】
ＦＲＰ、特に炭素繊維強化プラスチック（以下ＣＦＲＰと称することがある）は軽量、かつ高い機械的性質を有する複合材料として様々な分野で利用されている。ＦＲＰ成形方法の一つとして、長繊維や短繊維からなる繊維強化基材を成形品形状に賦形したプリフォームを、上型下型からなる金型内部に配置し、金型を型締めした後、樹脂注入孔から樹脂を減圧下に注入してプリフォームに含浸させ、加熱硬化の後、金型を開いて脱型するＲＴＭ成形方法が知られている。
【０００３】
この方法は、プリプレグ成形のように、予め強化繊維基材に樹脂を含浸させた中間材料を用いることなく、プリフォームを直接型に入れ、型内で樹脂含浸させることから、オートクレーブ法やハンドレイアップ法に比べて生産性が良く、両面の仕上がりの良い、品質の優れた成形品が得られるという特徴がある。
【０００４】
特許文献１では、より成形コストを抑える手段として、従来、型内で賦形させてあった強化繊維基材を、あらかじめ上下の賦形型で挟み込むことで、成形型に設置する前に事前に強化繊維基材にある程度の形状賦形する外段取り法も提案されている。
【０００５】
ここで、成形すべきＦＲＰが角部に近い形の変曲部を有する場合、強化繊維基材が変曲部を有する金型内に配置され、対応する変曲部を有する形状に賦形される。このとき、コーナー形状のような変曲部において、強化繊維基材がブリッジ状に突っ張り、金型に沿わず、金型と基材の間に隙間が形成され、その部位における強化繊維基材の厚みが薄くなり、変曲部と平坦部での強化繊維基材の厚みに差が生じる場合がある。
【０００６】
この状態でマトリクス樹脂を注入含浸し硬化させＦＲＰを成形すると、変曲部と平坦部位間で厚みが相違することになり、目標とする寸法が得られないおそれがある。また、厚みの薄い部位や、隙間が形成された部位では、樹脂リッチ部分が生じたり、ボイドが発生したりするおそれもある。
【０００７】
特許文献２では、強化繊維基材を用いて形成される、コーナー部を有するＦＲＰ成形用のプリフォームを製造するに際し、少なくともコーナー部およびその両側部分にわたって、強化繊維基材に副資材を一体化した状態にして、プリフォームを賦形する製造方法が記載されている。この製造方法では、コーナー部を有するＦＲＰ成形時における強化繊維基材や副資材のブリッジを防止し、コーナー部における厚みを所定の厚みに維持するとともに、コーナー部に樹脂リッチ部分やボイドを発生させない効果が開示されている。
【０００８】
しかし、特許文献２の構成では、強化繊維基材に副資材を一体化した状態を必須構成としており、副資材を使用することによるコスト要因となるとともに、ただ一体化した状態にするだけでは、変曲部において強化繊維基材が金型との間で隙間が形成され、ブリッジ状に突っ張り、その部位における強化繊維基材の厚みが薄くなり、変曲部と平坦部での強化繊維基材の厚みに差が生じる現象の回避には不十分である。
【０００９】
また、特許文献３では、金型内面に副資材を保持させ、金型内で発泡樹脂原液を発泡させることによって副資材が一体となった発泡樹脂成形品を製造する方法が教示され、副資材に磁性を付与し、金型に磁性体を設置し、磁性体の磁力によって副資材を金型内面に保持させておく方法が開示され、磁気的に吸着されることにより、副資材全体の特性に影響を与えることなく、シート状の副資材が上型の内面に全体として密着状に保持される効果が開示されている。また、密着状に保持されることで、ブリッジを防止し、コーナー部における厚みを所定の厚みに維持できることが推測される。
【００１０】
しかし、特許文献３の構成では、副資材に磁性繊維を縫い付ける必要があること、また、金型に予め磁性体を設置する必要があり、磁性繊維の縫い付けや磁性体を設置に手間が掛かる課題がある。
【００１１】
また、特許文献４では、インサート部品を有する繊維強化樹脂部材の製造方法が教示され、プリフォームの外表面に設けた突出部を、成形型に設けた凹部に嵌入し、前記インサート部品を成形型によって位置決めする方法が記載され、更に突出部をスチールにし、成形型の凹部の底部に磁石を配置する方法が記載され、突出部を磁力等で固定でき正確な位置決めができる効果が開示されている。
【先行技術文献】
【特許文献】
【００１２】
【特許文献１】特開２００３−３０５７１９号公報
【特許文献２】特開２００８−２３００２０号公報
【特許文献３】特開２００８−１４２９２５号公報
【特許文献４】特開２０１１−１４３６０９号公報
【発明の概要】
【発明が解決しようとする課題】
【００１３】
従来の方法では、強化繊維基材を、成形型に設置する前に事前に成形品形状に賦形したプリフォームとする場合には、一定の成形圧力により強化繊維基材を所望の凹凸形状等の形に変形する必要があるが、その場合に、複雑な形状であると、上型で強化繊維基材を押さえて変形させていく際に、強化繊維基材の許容変形量を超え、強化繊維基材にシワが生じやすい場合がある。また、プリフォームを作成する際、金型と強化繊維基材の配置ばらつき、及び強化繊維基材の変形ばらつき等から、出来上がったプリフォームの寸法がばらつくことがある。この問題は、強化繊維基材に予め余分な面積を持たせることで、寸法のバラツキを吸収させる方法で回避することができるが、その分、強化繊維基材の端部の廃棄分が増える場合がある。
【００１４】
そこで、本発明の目的は、コーナー形状のような変曲部において、強化繊維基材が金型との間で隙間が形成されるブリッジを防止し、コーナー部における厚みを所定の厚みに維持するとともに、コーナー部に樹脂リッチ部分やボイドを発生させないこと、また、プリフォームの形状の寸法バラツキによる強化繊維基材の余分な廃棄の低減のため、プリフォームの形状の寸法バラツキの低減を図ること、また、複雑な形状を一括したプレス賦形で行うことにより、低コスト、高精度、汎用性を高められるプリフォームの製造方法及び繊維強化プラスチック成形品の製造方法を提供することにある。
【課題を解決するための手段】
【００１５】
上記課題を解決するため、本発明は以下の手段を採用する。
（１）成形金型を用いて強化繊維基材を賦形するプリフォームの製造方法であって、
前記強化繊維基材の所定の位置に予め位置決め部材を配置し、前記成形金型に設けられたポジションガイドに前記位置決め部材を位置合わせする予備賦形工程と、
予備賦形された前記強化繊維基材を、前記成形金型によりプレスする賦形工程と、を少なくとも有し、
前記位置決め部材が、前記強化繊維基材の所定の位置に、磁気力で前記強化繊維基材を挟み込む一対の磁性体であり、前記ポジションガイドが、前記磁性体の入れ子が挿入できる成形金型内の所定の位置に設けられた一定の大きさの型孔であることを特徴とするプリフォームの製造方法。
（２）前記位置決め部材を所定の位置に設ける工程が、
テンプレートの所定の位置に穴を開ける工程、
前記テンプレートの穴に磁性体の入れ子を挿入する工程、
前記磁性体の入れ子が挿入された前記テンプレート上に強化繊維基材を重ねる工程、及び、
前記強化繊維基材上に磁石を載せ、前記テンプレートの磁性体の入れ子を磁気力により、
前記磁石と前記前記磁性体の入れ子とを合致させる工程、により行われる（１）に記載のプリフォームの製造方法。
（３）成形金型を用いて強化繊維基材を賦形するプリフォームの製造方法であって、
前記強化繊維基材の所定の位置に予め位置決め部材を配置し、前記成形金型に設けられたポジションガイドに前記位置決め部材を位置合わせする予備賦形工程と、
予備賦形された前記強化繊維基材を、前記成形金型によりプレスする賦形工程と、を少なくとも有し、
前記位置決め部材が、前記強化繊維基材の所定の位置に配置させるピンがついたブロックであり、
前記ポジションガイドが、前記ブロックの入れ子が挿入できる成形金型内の所定の位置に設けられた一定の大きさの型孔であることを特徴とするプリフォームの製造方法。
（４）前記位置決め部材を所定の位置に設ける工程が、
テンプレートの所定の位置に穴を開ける工程、
前記テンプレートの穴にピンの付いたブロックの入れ子を挿入する工程、及び、
前記ブロックの入れ子が挿入された前記テンプレート上に強化繊維基材を重ね、基材にピンを貫通する工程、により行われる（３）に記載のプリフォームの製造方法。
（５）成形金型を用いて強化繊維基材を賦形するプリフォームの製造方法であって、
前記強化繊維基材の所定の位置に予め位置決め部材を配置し、前記成形金型に設けられたポジションガイドに前記位置決め部材を位置合わせする予備賦形工程と、
予備賦形された前記強化繊維基材を、前記成形金型によりプレスする賦形工程と、を少なくとも有し、
前記位置決め部材が、前記強化繊維基材の所定の位置に付するマーカーであり、
前記ポジションガイドが、強化繊維基材を貫通でき、成形金型内の所定の位置に設けられたポジションピンであることを特徴とするプリフォームの製造方法。
（６）成形金型を用いて強化繊維基材を賦形するプリフォームの製造方法であって、
前記強化繊維基材の所定の位置に予め位置決め部材を配置し、前記成形金型に設けられたポジションガイドに前記位置決め部材を位置合わせする予備賦形工程と、
予備賦形された前記強化繊維基材を、前記成形金型によりプレスする賦形工程と、を少なくとも有し、
位置情報を認識するアームを前記位置決め部材が配置された前記強化繊維基材に接近させ、前記位置決め部材の配置位置を認識し、前記強化繊維基材を前記アームで捕捉した後、前記成形金型近傍に移動させ、前記成形金型のポジションガイドの位置情報を認識し、前記強化繊維基材の位置決め部材を前記成形金型のポジションガイドに位置合わせすることにより前記強化繊維基材を所定の形態に予備賦形することを特徴とするプリフォームの製造方法。
（７）隣接する位置決め部材間の強化繊維基材の長さが、前記隣接する位置決め部材に対応するポジションガイド間距離に対し、同等以上、１．５倍以下の長さである（１）、（３）、（５）、（６）のいずれかに記載のプリフォームの製造方法。
（８）（１）〜（７）いずれか記載のプリフォームの製造方法によって賦形されたプリフォームに、マトリクス樹脂を含浸し、固化又は硬化することを特徴とする繊維強化プラスチック成形品の製造方法。
【発明の効果】
【００１６】
本発明の強化繊維基材を賦形したプリフォームの製造方法によれば、強化繊維基材の所定の位置と、金型内の所定の位置とを位置合わせして合致させ、強化繊維基材を所定の形態に予備賦形した後に、金型によりプレス一括賦形することにより、コーナー部でのブリッジを防ぐと共に、プリフォームの形状の寸法バラツキを抑制でき、寸法のバラツキを吸収させるために強化繊維基材に余分な面積を持たせる必要がなく、余分な廃棄の低減につなげることができる。また、複雑な形状を一括プレス賦形することにより、低コスト、高精度又は汎用性を高めることができる。
【図面の簡単な説明】
【００１７】
【図１】繊維強化プラスチックの製造のためのＲＴＭ成形装置の概略図である。
【図２】成形型により型閉じされた状態図である。
【図３】成形型が型開きされ、繊維強化プラスチックが取出された状態図である。
【図４】本発明での実施形態に係る強化繊維基材の位置決め部材の一実施形態を示す概略斜視図である。
【図５】磁性体の入れ子と磁石によって強化繊維基材の表裏面が挟まれた形態斜視図である。
【図６】本発明での実施形態に係る強化繊維基材の予備賦形の状態断面図である。
【図７】本発明での実施形態に係る位置決め部材間の強化繊維基材の状態の概略図である。
【図８】本発明の実施形態に係る金型に位置決めされ予備賦形した強化繊維基材をプレス一括賦形させた状態断面図である。
【図９】本発明の実施形態に係る成形金型内に設けられたポジションピンと強化繊維基材に付されたマーカーとを合致させる概略斜視図である。
【図１０ａ】本発明の実施形態に係るロボット教示による搬送の状態を示す構成図である。
【図１０ｂ】本発明の実施形態に係るロボット教示によるチャックで強化繊維基材をつかんだ状態の概略図である。
【図１０ｃ】本発明の実施形態に係るロボット教示による強化繊維基材の予備賦形を示す概略図である。
【図１０ｄ】本発明の実施形態に係るロボット教示による強化繊維基材と金型との位置あわせを示す概略図である。
【図１０ｅ】本発明の実施形態に係るロボット教示による強化繊維基材を金型へ受け渡す状態を示す概略図である。
【発明を実施するための形態】
【００１８】
本発明は、（ａ）成形金型を用いて強化繊維基材を賦形する繊維強化樹脂成形用プリフォームの製造方法であって、前記強化繊維基材の所定の位置に予め位置決め部材を配置し、前記成形金型に設けられたポジションガイドに前記位置決め部材を位置合わせする予備賦形工程と、予備賦形された前記強化繊維基材を、前記成形金型によりプレスする賦形工程と、を少なくとも有し、前記位置決め部材が、前記強化繊維基材の所定の位置に、磁気力で前記強化繊維基材を挟み込む一対の磁性体であり、前記ポジションガイドが、前記磁性体の入れ子が挿入できる成形金型内の所定の位置に設けられた一定の大きさの型孔であるプリフォームの製造方法、（ｂ）成形金型を用いて強化繊維基材を賦形するプリフォームの製造方法であって、前記強化繊維基材の所定の位置に予め位置決め部材を配置し、前記成形金型に設けられたポジションガイドに前記位置決め部材を位置合わせする予備賦形工程と、予備賦形された前記強化繊維基材を、前記成形金型によりプレスする賦形工程と、を少なくとも有し、前記位置決め部材が、前記強化繊維基材の所定の位置に配置させるピンがついたブロックであり、前記ポジションガイドが、前記ブロックの入れ子が挿入できる成形金型内の所定の位置に設けられた一定の大きさの型孔であることを特徴とするプリフォームの製造方法、（ｃ）成形金型を用いて強化繊維基材を賦形するプリフォームの製造方法であって、前記強化繊維基材の所定の位置に予め位置決め部材を配置し、前記成形金型に設けられたポジションガイドに前記位置決め部材を位置合わせする予備賦形工程と、予備賦形された前記強化繊維基材を、前記成形金型によりプレスする賦形工程と、を少なくとも有し、前記位置決め部材が、前記強化繊維基材の所定の位置に付するマーカーであり、前記ポジションガイドが、強化繊維基材を貫通でき、成形金型内の所定の位置に設けられたポジションピンであることを特徴とするプリフォームの製造方法、（ｄ）成形金型を用いて強化繊維基材を賦形するプリフォームの製造方法であって、前記強化繊維基材の所定の位置に予め位置決め部材を配置し、前記成形金型に設けられたポジションガイドに前記位置決め部材を位置合わせする予備賦形工程と、予備賦形された前記強化繊維基材を、前記成形金型によりプレスする賦形工程と、を少なくとも有し、位置情報を認識するアームを前記位置決め部材が配置された前記強化繊維基材に接近させ、前記位置決め部材の配置位置を認識し、前記強化繊維基材を前記アームで捕捉した後、前記成形金型近傍に移動させ、前記成形金型のポジションガイドの位置情報を認識し、前記強化繊維基材の位置決め部材を前記成形金型のポジションガイドに位置合わせすることにより前記強化繊維基材を所定の形態に予備賦形することを特徴とするプリフォームの製造方法である。
【００１９】
繊維強化プラスチックの製造のためのＲＴＭ成形装置の概略図を図１に示す。図１において、ＲＴＭ成形装置は、上型２および下型３からなる成形型１と、開閉弁４を経由させて樹脂注入口５から成形型１内にマトリックス樹脂を注入する樹脂注入装置６と、吸引口７から成形型１内の空気を吸引する吸引装置８とを備える。成形型１は型閉め時に成形キャビティを形成するよう上型２および下型３が具備されている。上下の成形型１には、型閉じ時に成形キャビティを加熱することで成形品を硬化させるよう機能する温調配管が配置されている。成形キャビティは、上型２側を窪ませるとともに下型３を突出させる状態で、上下型２、３間に設けられ、下型３のキャビティ面に強化繊維基材１０を保持させる。この強化繊維基材１０の保持の方法については後述する。下型３の成形キャビティ面を構成する周囲には、強化繊維基材１０が保持された成形キャビティとなる領域を取り囲む周上に所定深さのシール収容溝１２を備える。シール収容溝１２には、シール収容溝１２の深さより大きい直径の密封シール１１の下側部分が挿入され、密封シール１１の上側部分はシール収容溝１２から上方に突出された状態となっている。密封シール１１は、例えば、一般的な丸棒状のゴムシールであり、ＲＴＭ成形用として耐熱性があればよい。型閉じ時に、密封シール１１と上型２のシール面とが接触して、成形キャビティを外気から遮断するよう構成される。
【００２０】
また、上型２には、シール面の内側において成形キャビティ面の外周部分に間隔をあけて開口させて複数の吸引口７が配置される。また、成形キャビティ面の中央領域に開口させて樹脂注入口５が配置される。樹脂注入口５は、成形キャビティ面の中央領域に１個だけ設けてもよいが、複数個が等分布状態となるよう複数個の注入口５が成形キャビティ面の周辺領域を避けて開口されるようにすることが望ましい。
【００２１】
以上の構成のＲＴＭ成形装置によるＲＴＭ成形工程について説明する。図１は、強化繊維基材１０が成形型１内の下型３へ保持された状態を示している。この工程では、樹脂注入装置６との間の開閉弁４は閉じられ、空気吸引装置８の吸引作動は停止されている。投入する強化繊維基材１０は、所定の製品板厚に応じた厚さとされており、下型３のキャビティ面に載置される。続いて、型閉じが開始され、下型３の密封シール１１が上型２のシール面に接する状態となった段階で型閉じ動作が停止される。図２には、上下型により型閉じされた状態図が示されている。この状態では、下型３キャビティ面に載置された強化繊維基材１０の表面と上型２キャビティ面との間に、密封シール１１と上型２シール面とが接触することで、成形キャビティの空間と外気とが遮断される。次いで、開閉弁４が開かれ、樹脂注入装置６より樹脂注入口５を通じて成形キャビティ内に所定量の熱硬化性樹脂を注入する。成形キャビティ内に注入された熱硬化性樹脂は強化繊維基材１０に浸透される。強化繊維基材１０に沿って成形キャビティ内を拡がり、熱硬化性樹脂の射出が終了した時点で開閉弁４が閉じられる。次いで、空気吸引装置８が作動され、成形型１内の成形キャビティ内の空気が吸引口７を経由して吸引される。樹脂吸引ラインから、余剰樹脂が型外に排出される。熱硬化性樹脂は強化繊維層１０の隙間内に押込まれ、含浸されてゆき、樹脂が強化繊維層１０全体に含浸している状態となる。
【００２２】
次いで、成形型１は加熱媒体が流通されることにより、成形キャビティが加熱され、成形キャビティ内の熱硬化性樹脂が硬化され、強化繊維層１０と熱硬化性樹脂との複合による繊維強化プラスチック１１が生成される。樹脂の硬化が終わった段階で、図３に示すように、成形型１は型開きされ、繊維強化プラスチック１１が取り出される。
【００２３】
本発明に係るＲＴＭ成形法で使用する樹脂としては、粘度が低く強化繊維への含浸が容易な熱硬化性樹脂または熱可塑性樹脂を形成するＲＩＭ用(Ｒｅｓｉｎ Ｉｎｊｅｃｔｉｏｎ Ｍｏｌｄｉｎｇ)モノマーなどが好適である。熱硬化性樹脂としては、たとえば、エポキシ樹脂、不飽和ポリエステル樹脂、ポリビニルエステル樹脂、フェノール樹脂、グアナミン樹脂、また、ビスマレイド・トリアジン樹脂等のポリイミド樹脂、フラン樹脂、ポリウレタン樹脂、ポリジアリルフタレート樹脂、さらにメラミン樹脂やユリア樹脂やアミノ樹脂等が挙げられる。
【００２４】
また、ナイロン６樹脂、ナイロン６６樹脂又はナイロン１１樹脂などのポリアミド樹脂、若しくはこれらポリアミ樹脂ドの共重合ポリアミド樹脂、また、ポリエチレンテレフタラート樹脂又はポリブチレンテレフタラート樹脂などのポリエステル樹脂、若しくはこれらポリエステルの共重合ポリエステル樹脂、さらにポリカーボネート樹脂、ポリアミドイミド樹脂、ポリフェニレンスルファイド樹脂、ポリフェニレンオキシド樹脂、ポリスルホン樹脂、ポリエーテルスルホン樹脂、ポリエーテルエーテルケトン樹脂、ポリエーテルイミド樹脂、ポリオレフィン樹脂、ポリエステルエラストマー又はポリアミドエラストマーなどに代表される熱可塑性エラストマー等が挙げられる。
【００２５】
また、上記の熱硬化性樹脂、熱可塑性樹脂、ゴムから選ばれた複数をブレンドした樹脂を用いることもできる。中でも好ましい樹脂として、自動車用外板部材の意匠性に影響を与える成形時の熱収縮を抑える観点から、エポキシ樹脂が挙げられる。一般的に複合材料用エポキシ樹脂としては、主剤として、ビスフェノールＡ型エポキシ樹脂、フェノールノボラック型エポキシ樹脂、グリシジルアミン型エポキシ樹脂が用いられる。一方、硬化剤としては、ジシアンジアミドにジクロロフェニルジメチル尿素を組み合わせた硬化剤系が作業性、物性等のバランスに優れている点で好適に使用されている。
【００２６】
しかし、特に限定されるものではなく、ジアミノジフェニルスルホン、芳香族ジアミン、酸無水物ポリアミドなども使用できる。また、樹脂と前述の強化繊維の比率は、重量比率で２０：８０〜７０：３０の範囲内が外板として適当な剛性を保持する点で好ましい。その中でも、ＦＲＰ構造体の熱収縮を低減させ、クラックの発生を抑えるという点から、エポキシ樹脂または熱可塑性樹脂やゴム成分などを配合した変性エポキシ樹脂、ナイロン樹脂、ジシクロペンタジエン樹脂がより適している。
【００２７】
ＦＲＰの補強繊維としては、例えば、炭素繊維、ガラス繊維、金属繊維等の無機繊維、あるいはアラミド繊維、ポリエチレン繊維、ポリアミド繊維などの有機繊維からなる補強繊維が挙げられる。特に、炭素繊維が好ましい。強化繊維基材の形態は特に限定されず、一方向シートや織物、マット等を採用でき、通常、これらを単数ないしは複数枚積層して基材を形成し、必要に応じて事前に賦形したプリフォームの形態で用いる。
【００２８】
本願発明で使用される炭素繊維としては、例えばＰＡＮ系炭素繊維、ピッチ系炭素繊維、セルロース系炭素繊維などの高強度、高弾性率な炭素繊維が使用できる。なかでも得られる強度と弾性率のバランスの観点からＰＡＮ系炭素繊維がさらに好ましい。このような炭素繊維としては、成形体の力学特性の観点から、引張弾性率が、好ましくは２００〜８００ＧＰａ、さらに好ましくは２２０〜８００ＧＰａの範囲内であるものが使用できる
ＰＡＮ系炭素繊維は、ポリアクリロニトリル繊維を原料とする炭素繊維である。ピッチ系炭素繊維は石油タールや石油ピッチを原料とする炭素繊維束である。セルロース系炭素繊維束はビスコースレーヨンや酢酸セルロースなどを原料とする炭素繊維束である。
【００２９】
成形型の材質としてはＦＲＰ、鋳鋼、構造用炭素鋼、アルミニウム合金、亜鉛合金、ニッケル電鋳、銅電鋳があげられる。量産には、剛性、耐熱性、作業性の面から構造用炭素鋼が好適である。また、ＦＲＰ成形体の意匠性、離型性を向上させるため＃１０００以上の磨き面または、ハードクロムめっきであることが好ましい。
【００３０】
次に、強化繊維基材１０を予備賦形する方法について説明する。
【００３１】
本発明において、強化繊維基材の所定の位置に予め位置決め部材を配置し、前記成形金型に設けられたポジションガイドに前記位置決め部材を位置合わせする予備賦形工程と、予備賦形された前記強化繊維基材を、前記成形金型によりプレスする賦形工程と、を有することを特徴とするものである。
【００３２】
ポジションガイドとは強化繊維基材の所定の位置に対して、位置合わせするための成形金型内に設けられた位置合わせのための手段である。
【００３３】
位置決め部材は、強化繊維基材の所定の位置に磁気力により強化繊維基材を挟み込むように配置させた磁性体と磁石であり、ポジションガイドは磁性体の入れ子が挿入できる成形金型内の所定の位置に設けられた一定の大きさの型孔とすることが好ましい。
【００３４】
磁性体と磁石を使用することにより、再利用することができる簡易な方法で正確な位置決めすることができる。また、磁性体の入れ子が挿入できる大きさの型孔とすることにより簡易な方法で正確な位置決めすることができる。
【００３５】
図４には、強化繊維基材１０の所定の位置に付与された位置決め部材の一実施態様の概略斜視図が示されている。２１はテンプレート、２２は位置決めのためのテンプレート２１に設けられた穴、２３は磁性体の入れ子、２４は磁石、１０は強化繊維基材を示す。
【００３６】
予定される繊維強化基材１０に設ける磁性体２３と磁石２４を設置する位置を定めるため、繊維強化基材１０とは別に繊維強化基材と略同面積のテンプレート２１を用いる。まず、このテンプレート２１に予定される位置に磁性体からなる入れ子２３が挿入できる穴２２を設ける。次に、磁性体の入れ子２３をテンプレート２１に設けられた穴２２に挿入する。次に、そのテンプレート２１の上に繊維強化基材１０を重ね、その繊維強化基材１０上に磁石２４を載せ、磁気力で磁性体の入れ子２３と引き付けられ、挟み込むように配置される。そして、テンプレート２１を外すことにより、正確に簡便な方法で磁性体２３と磁石２４に挟まれ位置決め部材が設けられた繊維強化基材１０を得ることができる。
【００３７】
テンプレート２１としては一定形状の穴をあけられ、型崩れしない一定の強度を保持できれば材料は特に限定しない。例えば、アクリル等の樹脂材料板、アルミ等の金属材料板が適当に使用できる。
【００３８】
一点鎖線の矢印２６は磁性体の入れ子２３と磁石２４とが引き付けられるペアの関係を示す。その後、テンプレート２１だけが取り外され、テンプレート２１に挿入していた磁性体の入れ子２３と磁石２４によって強化繊維基材１０の表裏面が挟む形態とすることにより強化繊維基材１０に対して位置決め部材が付与される。図５には、テンプレート２１が取り外され、磁性体の入れ子２３と磁石２４によって強化繊維基材１０の表裏面が挟まれた形態斜視図が示されている。
【００３９】
また、図６に、本発明での実施形態に係る強化繊維基材１０の予備賦形の状態断面図を示す。図６の上部は、テンプレートだけが取り外され、テンプレートに挿入していた磁性体の入れ子２３と磁石２４によって表裏面が挟まれた強化繊維基材１０が示されている。下部にはポジションガイドが付与された成形金型３と、強化繊維基材の位置決め部材と成形金型のポジションガイドとが合致された状態が示されている。ポジションガイド２７は、下型３に形成された型孔である。矢印２８で示すように、強化繊維基材１０に取り付けたそれぞれの磁性体の入れ子２３と磁石２４を、成形金型３に設けられた型孔２７に移動させる。磁性体の入れ子２３が型孔２７に挿入され、合致することで磁性体の入れ子２３と磁石２４によって表裏面が挟まれた強化繊維基材１０が成形金型内に載置される。それにより、強化繊維基材１０が下型３に沿うように湾曲するように変形（予備賦形）されて保持される。
【００４０】
また、隣接する位置決め部材間の強化繊維基材の長さが、隣接する位置決め部材に対応するポジションガイド間距離に対し、同等以上、１．５倍以下の長さとすることが好ましい。ここで、「隣接する位置決め部材に対応するポジションガイド間距離」とは、金型（図６では下型３）表面に沿った最短距離をいう。図７に、図６の領域２９を拡大した本発明での実施形態に係る位置決め部材間の強化繊維基材の状態の概略図を示す。図７において、強化繊維基材１０は磁性体の入れ子２３と磁石２４により位置決めされている。磁性体の入れ子２３によって位置決めされている強化繊維基材１０の位置決めされている箇所の１０ａと１０ｂ間の強化繊維基材の長さは、ポジションガイドである型孔２７間の２７ａと２７ｂ間のポジションガイド間距離に対し、同等以上、１．５倍以下の長さとなっている。このような長さにすることにより、後述する一括賦形する際、強化繊維基材１０にたるみがあるため、金型表面の凹凸に容易に沿うことができる。特に、事前に予備賦形しておくと、一括賦形する際、基材の変形量も少なくてすむため、強化繊維基材１０表面でのシワの発生や、含浸マトリクス樹脂が偏在することを抑制することができる。１０ａと１０ｂ間の強化繊維基材の長さが、ポジションガイドである型孔２７間の２７ａと２７ｂ間のポジションガイド間距離と同等よりも短いと、繊維強化基材に無用の力が加わりプリフォームの形状の寸法バラツキが出る場合がある。また、１０ａと１０ｂ間の強化繊維基材の長さが、ポジションガイドである型孔２７間の２７ａと２７ｂ間のポジションガイド間距離の１．５倍よりも長い場合、強化繊維基材１０にシワが発生しやすくなる場合がある。好ましくは１倍以上１．４倍以下、より好ましくは１．１倍以上、１．３倍以下である。
【００４１】
また、本発明において、ポジションガイド又は位置決め部材は、成形品が有する形状の凹凸部位を挟んだ状態で配置することが好ましい。
【００４２】
図７において、金型３には２箇所の凹凸が形成されており、型孔２７間の２７ａと２７ｂ間に製品形状の凹凸を挟んだ状態で配置するのが好ましい。成形品形状の凹凸部位におけるコーナー形状のような変曲部を挟んだ状態で配置することにより、強化繊維基材が金型との間で隙間が形成されるブリッジを防止し、コーナー部における厚みを所定の厚みに維持するとともに、コーナー部に樹脂リッチ部分やボイドの発生を抑制することができる。
【００４３】
図８に、本発明の実施形態に係る金型内に位置決めされ予備賦形した強化繊維基材１０をプレス一括賦形させた状態断面図を示す。上金型２には磁石２４が挿入できる型孔を有し、プレス一括賦形できる構成としている。上下金型２と３によりプレス成形され、強化繊維基材１０は一定形状を有することになる。上下金型２と３との間に形成されたキャビティにマトリクス樹脂を注入して強化繊維基材１０に含浸させて繊維強化プラスチック成形品を成形することができる。
【００４４】
このように、本発明では、プレス一括賦形の前に、強化繊維基材に設けられた位置決め部材と成形金型のポジションガイドとを位置合わせして合致させ、強化繊維基材を所定の形態に予備賦形する。
【００４５】
予備賦形により、複数の位置決め部材間の強化繊維基材の長さと、位置決め部材に対応する複数のポジションガイド間距離とが、略同じ長さに合わせることができ、プリフォームの形状の寸法バラツキを抑制できる。また、成形金型の壁に沿ったプレス一括賦形の際に、強化繊維基材が成形金型の壁のラインと平行に沿わせた状態に賦形することができ、成形金型の表面と強化繊維基材との間に隙間が生じることを抑制でき、成形金型内に樹脂を注入含浸させ、硬化させた強化繊維基材全体にわたって、マトリクス樹脂が偏在することなく均一に含浸せることができる。さらには、本発明の一括したプレスによる賦形方法により、プリフォームを形成する工程を要さずに、直接ＲＴＭ成形を行えるダイレクトＲＴＭ成形方法への展開を図ることができる。
【００４６】
また、本発明において、位置決め部材が、繊維強化基材の所定の位置に配置させたピンがついたブロックであり、ポジションガイドが、ブロックの入れ子が挿入できる成形金型内の所定の位置に設けられた一定の大きさの型孔である構成とすることも好ましい態様である。位置決め部材として、前述した磁性体と磁石に代わって、ピンが備えられたブロックを配置する構成とすることにより、簡易な方法で正確な位置決めすることができる。
【００４７】
まず、テンプレートの所定の位置にブロックの入れ子が挿入できる穴を設ける。次に、ブロックの入れ子をテンプレートに設けられた穴に挿入する。次に、そのテンプレートの上に強化繊維基材を重ね、その強化繊維基材にピンを貫通する。そして、テンプレートを外すことにより、正確に簡便な方法で強化繊維基材の位置決めをすることができる。その後、テンプレートだけが取り外された強化繊維基材にピンで貫通させたブロックの入れ子を、成形金型内の所定の位置に設けられた一定の大きさの型孔に挿入して固定することにより、予備賦形された強化繊維基材を得ることが出来る。
【００４８】
また、本発明において位置決め部材は、強化繊維基材１０に所定の位置に設けられたマーカーであり、ポジションガイドは繊維強化基材を貫通でき、成形金型の所定の位置に設けられたポジションピンとすることが好ましい。繊維強化基材１０に設けられたマーカーが付された部位とポジションピンを合致させ、繊維強化基材を成形金型の所定の位置に位置決めさせた後、一括賦形する構成とすることが好ましい。ポジションピンにより、繊維強化基材の所定の位置と位置合わせするため、貫通させ合致させる構成により、簡易な方法で正確な位置決めすることができる。
【００４９】
図９に、成形金型内に設けられたポジションピンと強化繊維基材に付されたマーカーとを合致させる概略斜視図を示す。図９において、強化繊維基材１０に付されたマーカー３１を、矢印３３で示すように、下型３に設けられたポジションピン３２と合致させることで、強化繊維基材１０が所定の位置に位置決めされ、強化繊維基材１０が下型３に沿うように湾曲するように変形され、予備賦形される。その後、金型内に位置決めされた強化繊維基材１０が上下金型によりプレス一括賦形され、強化繊維基材１０を所定の形状とすることができる。
【００５０】
マーカーは、所定の位置が分かるための目印であり、印字体、適当な大きさの穴、目印となる付属物等、成形金型側に設けられたポジションガイドと位置合わせできる方法が好ましい。
【００５１】
ポジションガイドは一端が金型の所定の位置に固定し、他端はマーカーが付けられた繊維強化基材に貫通できる形状で一定の長さを持ったものが好ましい。位置合わせのための手段で、針等の貫通できる先端が尖った形状のもので、例えば、針付きの入れ子を用いることができる。
【００５２】
また、本発明において、位置決め部材として強化繊維基材が予備賦形される形状を予め認識記憶させた形状情報を用い、ポジションガイドとして強化繊維基材を配置させる位置を予め認識記憶させた金型における位置情報とすることも好ましい態様である。
【００５３】
画像処理、位置認識処理方法を用いた制御手段により、ロボット同士による搬送、強化繊維基材の位置合わせ、予備賦形を行うことにより、前述したような強化繊維基材に付するマーカー等は不要となり、精度維持、工程の簡素化、生産性向上に寄与することができる。
【００５４】
ロボットに予備賦形される形状を予め形状情報として認識記憶させておく。また、ロボットに強化繊維基材を成形金型に配置させる位置を予め成形金型における位置情報として認識記憶させておく。そして、ロボットアーム等の移動可能な捕捉手段により、強化繊維基材を成形金型上部に移送し、強化繊維基材を成形金型の所定の位置に、位置決め部材である形状情報及び金型における位置情報に基づき、ロボットアーム等の動作を制御して位置合わせすることにより強化繊維基材を所定の形態に予備賦形することが好ましい。
【００５５】
図１０ａ〜図１０ｅに、ロボット教示による搬送の構成図を示す。自動制御用ロボット４１に、強化繊維基材１０を予備賦形するための形状情報を記憶させる。その形状情報に基づき、強化繊維基材１０を捕捉する捕捉手段であるチャック４２の動作を制御する。チャック４２の動作により、強化繊維基材１０を所定の形態に予備賦形することができる。
【００５６】
図１０ａは、複数のチャック４２を保持した自動制御用ロボット４１を強化繊維基材１０の近くに配置した状態を示す。次に、図１０ｂに示すように、チャック４２がターゲットである強化繊維基材１０を捕捉する。さらに図１０ｃに示すように、強化繊維基材１０を捕捉したチャック４２は、成形品の形状が記憶されたロボット４１によって、所定の位置に移動される。例えば、図１０ｃにおいては、右側のチャック４２ａは矢印４３で示す左方向に移動する。同時に中央のチャック４２ｂは矢印で示す上方向に移動する。左側のチャック４２ｃは矢印で示す右方向に移動する。このように、予備賦形される形状となるように強化繊維基材１０が変形される。その後、図１０ｄ、図１０ｅに示すように、一定の形状に賦形された強化繊維基材１０は、自動制御用ロボット４１に予め認識記憶させた成形金型における位置情報に基づき、成形金型３の所定の位置に載置される。成形金型３は固定のためのピン４４が配置され、搬送された強化繊維基材１０が金型３に固定される。その後、成形金型３に位置決めされた強化繊維基材１０を上下金型によりプレス一括賦形させ、強化繊維基材１０は一定形状を有することになる。
【実施例】
【００５７】
次に、本発明を実施例によって説明するが、本発明はこれらの実施例に限定されるものではない。
【００５８】
［成形装置］
・１００ｔプレス機（株式会社山本鉄工所製）
・金型温調機（株式会社サーモテック製）
【００５９】
［位置決め冶具］
・テンプレート２１：ポリプロピレン製プラスチックダンボール（図４参照）
・磁石２４：ネオジム製磁石（ミスミ社製ＭＧＬＮ-２０-１０-１０）
・磁性体入れ子２３：鉄ブロック（２０ｍｍ×１０ｍｍ×１０ｍｍ）
・針付き入れ子３２：鉄ブロック（２０ｍｍ×１０ｍｍ×１０ｍｍ）
【００６０】
［金型］
・下型３：図６に断面形状を示す。内部に加熱配管からなる型温調配管が複数配置され平面寸法４９０ｍｍ×４９０ｍｍ、高さ３００ｍｍの箱型形状を有し、上記磁性体の入れ子２３に対応する位置に型孔２７を開けた７５０ｍｍ×７５０ｍｍ×６００ｍｍのアルミ製凸金型を使用した。
・上型２：下型３と同様の材料、配管、入れ子を有するアルミ製凹型を使用した。
【００６１】
［材料］
・二方向性織物：東レ(株)製ＣＯ６３４３Ｂ （織糸：炭素繊維Ｔ３００-３Ｋ、織組織：平織り，織物目付：１９８ｇ/ｍ２、厚さ：０．２５ｍｍ、縦糸織密度：１２．５本／２５ｍｍ，横糸織密度：１２．５本／２５ｍｍ）。
・粘着性付与剤：平均粒径が１００μｍである強化繊維基材用バインダー組成物）
二方向性織物の一方の表面に、粘着性付与剤を、エンボスロールとドクターブレードを用いて、単位面積あたりの質量（付着量）が５ｇ/ｍ２となるように計量しながら万遍なく散布した。続いて、織物の表面温度は、粘着性付与剤が溶融するのに十分な温度になるよう、遠赤外線ヒータの下を０．３ｍｍ／分で通過させて、粘着性付与剤を織物上に固着させて強化繊維基材を作製した。
【００６２】
（基材の切り出し）
各強化繊維基材から、縦糸、横糸の方向をそれぞれ０°、９０°としたときに、０°の方向が長軸方向となるよう、１２００ｍｍ×１２００ｍｍの大きさの基材を切り出した。
【００６３】
（実施例１）
磁性体入れ子２３を挿したテンプレート２１の上に、切り出した強化繊維基材１０を４枚乗せ、その上から、磁性体入れ子２３の直上に磁石２４をかぶせ、強化繊維基材１０を挟み込んだ。その後、テンプレート２１の下側から磁性体入れ子２３を押し出し、強化繊維基材１０をテンプレート２１と分離した。続いて、磁性体入れ子２３／磁石２４を挟み込んだ強化繊維基材１０を１００℃の温水で加熱した金型下型３の上まで運び、入れ子２３を下金型３の対応する位置である型孔２７に差し込み予備賦形した後、１００℃で加温した上型２を取り付けた１００ｔプレスを下げ、繊維強化基材１０を賦形した。
【００６４】
上型２を降ろしてから５分経過後、プレスを上げ、プリフォームを取り出した。出来上がったプリフォームにはシワなどの欠点はなく、コーナー形状のような変曲部において、強化繊維基材１０が金型との間で隙間が形成されるブリッジの形成は見られず、品位は良好であった。また、プリフォームの形状の寸法バラツキも少なく強化繊維基材の余分な廃棄の低減にも繋げられた。
【００６５】
また、金型にマトリクス樹脂を注入して強化繊維基材１０に含浸させて硬化させることにより、繊維強化プラスチック成形品を得た。樹脂が均一に含浸され、コーナー部に樹脂含浸量が偏在した樹脂リッチ部分やボイドの発生もない良好な成形品が得られた。
【００６６】
（実施例２）
図９に示すように、針付入れ子３２を１００℃に加温した下型３にはめ込み、その上に、事前に積層し所定の位置にマーカー３１を付した繊維強化基材１０をかぶせ、マーカー３１の位置に針３４を刺し貫通させ、１００℃で加温した上型２を取り付けた１００ｔプレスを下げ、基材を賦形した。
【００６７】
上型２を降ろしてから５分経過後、プレスを上げ、プリフォームを取り出した。出来上がったプリフォームにはシワなどの欠点はなく、コーナー形状のような変曲部において、強化繊維基材１０が金型との間で隙間が形成されるブリッジの形成は見られず、品位は良好であった。また、プリフォームの形状の寸法バラツキも少なく強化繊維基材の余分な廃棄の低減にも繋げられた。
【００６８】
また、金型にマトリクス樹脂を注入して強化繊維基材１０に含浸させて硬化させることにより、繊維強化プラスチック成形品を得た。樹脂が均一に含浸され、コーナー部に樹脂含浸量が偏在した樹脂リッチ部分やボイドの発生もない良好な成形品が得られた。
【００６９】
（比較例１）
下型３に磁性体入れ子２３のみを事前にはめ込み、その上に、強化繊維基材１０を把持することなく置き、１００℃で加温した上型２を取り付けた１００ｔプレスを下げ、基材を賦形した。上型を降ろしてから５分経過後、プレスを上げ、プリフォームを取り出した。出来上がったプリフォームはコーナー形状部で大きく折れ曲がったシワが発生しており、とても製品として成立するものではなかった。
【産業上の利用可能性】
【００７０】
本発明に係る成形方法は、高速成形が望まれるあらゆるＲＴＭ成形に適用でき、特に、比較的大型かつ比較的複雑な形状の成形品を短時間のうちに効率よく優れた品質をもって成形するために有用である。
【符号の説明】
【００７１】
１  成形金型
２  上型  
３  下型
４  開閉弁
５  樹脂注入口
６  樹脂注入装置
７  吸引口
１０  強化繊維基材
２１  テンプレート
２２  位置決めのためのテンプレートに設けられた穴
２３  磁性体の入れ子
２４  磁石
２７  ポジションガイドである型孔
３１  強化繊維基材に付されたマーカー
３２  ポジションピン
４１  自動制御用ロボット
４２  チャック
【図１】
0006372195.tif 000002
【図２】
0006372195.tif 000003
【図３】
0006372195.tif 000004
【図４】
0006372195.tif 000005
【図５】
0006372195.tif 000006
【図６】
0006372195.tif 000007
【図７】
0006372195.tif 000008
【図８】
0006372195.tif 000009
【図９】
0006372195.tif 000010
【図１０ａ】
0006372195.tif 000011
【図１０ｂ】
0006372195.tif 000012
【図１０ｃ】
0006372195.tif 000013
【図１０ｄ】
0006372195.tif 000014
【図１０ｅ】
0006372195.tif 000015